(57)【要約】【課題】簡素な構成で外光による光の明滅を確実に抑止する。【解決手段】画像信号の入力を受け、異なる複数の画像のそれぞれを少なくとも２回連続して表示させるための信号を出力する信号制御部１２０と、信号制御部１２０から出力された信号が入力され、異なる複数の画像のそれぞれを少なくとも２回連続して交互に表示する表示パネル１３４と、を備える、画像表示装置１００と、画像表示装置１００から出力された所定の偏光方向を有する画像とランダム偏光の外光とが入射し、入射した光の偏光の方向を周期的に変化させるスイッチ液晶２０３と、スイッチ液晶２０３から出射された光が入射し、所定方向の偏光軸を有する偏光板２０４と、を有する表示画像鑑賞用メガネ２００と、を備える。【選択図】図６
2011075745.tif 000002
【特許請求の範囲】
【請求項１】
画像信号の入力を受け、異なる複数の画像のそれぞれを少なくとも２回連続して表示させるための信号を出力する信号制御部と、前記信号制御部から出力された信号が入力され、前記異なる複数の画像のそれぞれを少なくとも２回連続して交互に表示する表示パネルと、を備える、画像表示装置と、
前記画像表示装置から出力された所定の偏光方向を有する画像とランダム偏光の外光とが入射し、入射した光の偏光の方向を周期的に変化させる液晶層と、前記液晶層から出射された光が入射し、所定方向の偏光軸を有する偏光板と、を有する光変調器と、
を備える、画像表示観察システム。
【請求項２】
前記画像表示装置は、所定の偏光方向を有する画像を円偏光に変換する１／４λ波長板を有し、
前記光変調器は、前記液晶層よりも前記画像表示装置側に配置されて前記円偏光を前記所定の偏光方向に再度変換する１／４λ波長板を備える、請求項１に記載の画像表示観察システム。
【請求項３】
前記液晶層は、電圧の印加の有無に応じて入射した光の偏光方向を回転させ、前記偏光板における光の透過及び非透過を制御する、請求項１に記載の画像表示観察システム。
【請求項４】
前記光変調器は、観測者の右目及び左目の前にそれぞれ配置され、
前記異なる複数の画像は、右目により視認される右目用画像と、左目により視認される左目用画像であり、
前記液晶層は、前記画像表示装置から周期的に出力される前記右目用画像及び前記左目用画像の切り換わりに応じて、前記右目用画像が右目に入射し、前記左目用画像が左目に入射するように、前記偏光板における光の透過及び非透過を制御する、請求項３に記載の画像表示観察システム。
【請求項５】
前記光変調器は、観測者の右目及び左目の前にそれぞれ配置され、
前記異なる複数の画像は、それぞれが異なるユーザによって視認される画像であり、
前記画像表示装置から周期的に出力される前記異なる複数の画像の切り換わりに応じて、前記複数の画像の１つが右目及び左目の双方に入射するように、前記偏光板における光の透過及び非透過を制御する、請求項３に記載の画像表示観察システム。
【請求項６】
画像表示装置から周期的に出力され、異なる複数の画像のそれぞれが少なくとも２回連続するように構成された所定の偏光方向を有する画像と、ランダム偏光の外光とが入射し、入射した光の偏光の方向を周期的に変化させる液晶層と、
前記液晶層から出射された光が入射し、所定方向の偏光軸を有する偏光板と、
を備える、光変調器。
【請求項７】
前記画像表示装置から出力された画像は、所定の偏光方向を有する画像が円偏光に変換されたものであり、
前記液晶層よりも前記画像表示装置側に配置されて、前記円偏光を前記所定の偏光方向に再度変換する１／４λ波長板を備える、請求項６に記載の光変調器。
【請求項８】
前記液晶層は、電圧の印加の有無に応じて入射した光の偏光方向を回転させ、前記偏光板における光の透過及び非透過を制御する、請求項６に記載の光変調器。
【請求項９】
観測者の右目及び左目の前にそれぞれ配置され、
前記異なる複数の画像は、右目により視認される右目用画像と、左目により視認される左目用画像であり、
前記液晶層は、前記画像表示装置から周期的に出力される前記右目用画像及び前記左目用画像の切り換わりに応じて、前記右目用画像が右目に入射し、前記左目用画像が左目に入射するように、前記偏光板における光の透過及び非透過を制御する、請求項８に記載の光変調器。
【請求項１０】
観測者の右目及び左目の前にそれぞれ配置され、
前記異なる複数の画像は、それぞれが異なるユーザによって視認される画像であり、
前記画像表示装置から周期的に出力される異なる複数の画像の切り換わりに応じて、前記複数の画像の１つが右目及び左目の双方に入射するように、前記偏光板における光の透過及び非透過を制御する、請求項８に記載の光変調器。
【請求項１１】
画像信号の入力を受け、異なる複数の画像のそれぞれを少なくとも２回連続して表示させるための信号を出力する信号制御部と、前記信号制御部から出力された信号が入力され、前記異なる複数の画像のそれぞれを少なくとも２回連続して交互に表示する表示パネルと、
前記異なる複数の画像の偏光を円偏光に変換する１／４λ波長板と、を備え、
前記円偏光を所定の偏光方向に変換する１／４λ波長板を液晶層の前面に備えて前記液晶層によるシャッター動作を行う光変調器に対して、前記異なる複数の画像を出力する、画像表示装置。
【請求項１２】
前記異なる複数の画像は、右目により視認される右目用画像と、左目により視認される左目用画像である、請求項１１に記載の画像表示装置。
【請求項１３】
前記異なる複数の画像は、それぞれが異なるユーザによって視認される画像である、請求項１１に記載の画像表示装置。
【発明の詳細な説明】
【技術分野】
【０００１】
本発明は、画像表示観察システム、光変調器、及び画像表示装置に関する。
【背景技術】
【０００２】
近時では、例えば下記の特許文献１に記載されているように、１つの画面に対して時分割で複数の映像を表示させ、それと同期したシャッター付メガネを用いることで複数の映像をそれぞれ分離して認識する技術が知られている。また、特許文献２に記載されているように、この技術を利用し、左右の目に相当する視差映像を表示することで立体表示が可能となる技術が知られている。
【先行技術文献】
【特許文献】
【０００３】
【特許文献１】特許第３７０１３５５号公報
【特許文献２】特開昭６１−２２７４９８号公報
【発明の概要】
【発明が解決しようとする課題】
【０００４】
これらの２種類の技術は、ハードウエア的には本質的に同じものであり、表示する映像内容およびシャッターの駆動が異なるだけである。すなわち、左右の目に相対するシャッターを同位相にて開閉すれば複数の映像を選択的に表示することができ、また２枚の映像を視差映像としてシャッターを逆位相で開閉すれば立体映像を表示することができる。
【０００５】
ところで、テレビ受像機の垂直同期周波数は、ＮＴＳＣ方式の場合、約６０Ｈｚ、ＰＡＬおよびＳＥＣＡＭの場合は５０Ｈｚとなっている。このため、シャッター付メガネは、これに同期して６０Ｈｚまたは５０Ｈｚにて開閉動作を行うことになる。
【０００６】
一方、例えば室内の蛍光灯などの外光に用いられる商用電源の周波数も、同じく５０Ｈｚまたは６０Ｈｚとなっており、インバーター式でない蛍光灯はこの倍の周波数１００Ｈｚまたは１２０Ｈｚで明滅を生じている。
【０００７】
この場合、シャッター付メガネのシャッターと蛍光灯をそれぞれ別個に使用している場合は、周波数が高く人の眼に認識されることはないが、シャッター越しに蛍光灯を見ると、シャッターの駆動周波数と蛍光灯のフリッカー周波数の周波数差に起因する光の明滅を感じる。例えば、商用周波数５０Ｈｚの環境下で、６０Ｈｚの映画信号を見る場合、その周波数の差である２０Ｈｚまたは４０Ｈｚの光の明滅がシャッターを透過して視認される。この場合、表示画面そのものには明滅を感じないものの、画面の周辺部、例えば蛍光灯によって照明された壁などにおいて認識し易い明滅が感じられ、ユーザが不快に感じる場合がある。
【０００８】
また、液晶表示パネルの場合は、垂直方向の上側から線順次に画像が表示される。この場合、液晶の応答速度不足に起因して、画面の上部と下部とで異なる画像が共に表示されてしまい、いわゆるクロストークの発生が懸念される。
【０００９】
そこで、本発明は、上記問題に鑑みてなされたものであり、本発明の目的とするところは、簡素な構成で外光による光の明滅を確実に抑止するとともに、クロストークの発生を抑えることが可能な、新規かつ改良された画像表示観察システム、光変調器、及び画像表示装置を提供することにある。
【課題を解決するための手段】
【００１０】
上記課題を解決するために、本発明のある観点によれば、画像信号の入力を受け、異なる複数の画像のそれぞれを少なくとも２回連続して表示させるための信号を出力する信号制御部と、前記信号制御部から出力された信号が入力され、前記異なる複数の画像のそれぞれを少なくとも２回連続して交互に表示する表示パネルと、を備える、画像表示装置と、前記画像表示装置から出力された所定の偏光方向を有する画像とランダム偏光の外光とが入射し、入射した光の偏光の方向を周期的に変化させる液晶層と、前記液晶層から出射された光が入射し、所定方向の偏光軸を有する偏光板と、を有する光変調器と、を備える、画像表示観察システムが提供される。
【００１１】
また、前記画像表示装置は、所定の偏光方向を有する画像を円偏光に変換する１／４λ波長板を有し、前記光変調器は、前記液晶層よりも前記画像表示装置側に配置されて前記円偏光を前記所定の偏光方向に再度変換する１／４λ波長板を備えるものであってもよい。
【００１２】
また、前記液晶層は、電圧の印加の有無に応じて入射した光の偏光方向を回転させ、前記偏光板における光の透過及び非透過を制御するものであってもよい。
【００１３】
また、前記光変調器は、観測者の右目及び左目の前にそれぞれ配置され、前記異なる複数の画像は、右目により視認される右目用画像と、左目により視認される左目用画像であり、前記液晶層は、前記画像表示装置から周期的に出力される前記右目用画像及び前記左目用画像の切り換わりに応じて、前記右目用画像が右目に入射し、前記左目用画像が左目に入射するように、前記偏光板における光の透過及び非透過を制御するものであってもよい。
【００１４】
また、前記光変調器は、観測者の右目及び左目の前にそれぞれ配置され、前記異なる複数の画像は、それぞれが異なるユーザによって視認される画像であり、前記画像表示装置から周期的に出力される前記異なる複数の画像の切り換わりに応じて、前記複数の画像の１つが右目及び左目の双方に入射するように、前記偏光板における光の透過及び非透過を制御するものであってもよい。
【００１５】
また、上記課題を解決するために、本発明の別の観点によれば、画像表示装置から周期的に出力され、異なる複数の画像のそれぞれが少なくとも２回連続するように構成された所定の偏光方向を有する画像と、ランダム偏光の外光とが入射し、入射した光の偏光の方向を周期的に変化させる液晶層と、前記液晶層から出射された光が入射し、所定方向の偏光軸を有する偏光板と、を備える、光変調器が提供される。
【００１６】
また、前記画像表示装置から出力された画像は、所定の偏光方向を有する画像が円偏光に変換されたものであり、前記液晶層よりも前記画像表示装置側に配置されて、前記円偏光を前記所定の偏光方向に再度変換する１／４λ波長板を備えるものであってもよい。
【００１７】
また、前記液晶層は、電圧の印加の有無に応じて入射した光の偏光方向を回転させ、前記偏光板における光の透過及び非透過を制御するものであってもよい。
【００１８】
また、観測者の右目及び左目の前にそれぞれ配置され、前記異なる複数の画像は、右目により視認される右目用画像と、左目により視認される左目用画像であり、前記液晶層は、前記画像表示装置から周期的に出力される前記右目用画像及び前記左目用画像の切り換わりに応じて、前記右目用画像が右目に入射し、前記左目用画像が左目に入射するように、前記偏光板における光の透過及び非透過を制御するものであってもよい。
【００１９】
また、観測者の右目及び左目の前にそれぞれ配置され、前記異なる複数の画像は、それぞれが異なるユーザによって視認される画像であり、前記画像表示装置から周期的に出力される異なる複数の画像の切り換わりに応じて、前記複数の画像の１つが右目及び左目の双方に入射するように、前記偏光板における光の透過及び非透過を制御するものであってもよい。
【００２０】
また、上記課題を解決するために、本発明の別の観点によれば、画像信号の入力を受け、異なる複数の画像のそれぞれを少なくとも２回連続して表示させるための信号を出力する信号制御部と、前記信号制御部から出力された信号が入力され、前記異なる複数の画像のそれぞれを少なくとも２回連続して交互に表示する表示パネルと、前記異なる複数の画像の偏光を円偏光に変換する１／４λ波長板と、を備え、前記円偏光を所定の偏光方向に変換する１／４λ波長板を液晶層の前面に備えて前記液晶層によるシャッター動作を行う光変調器に対して、前記異なる複数の画像を出力する、画像表示装置が提供される。
【発明の効果】
【００２１】
本発明によれば、簡素な構成で外光による光の明滅を確実に抑止するとともに、クロストークの発生を抑えることが可能となる。
【図面の簡単な説明】
【００２２】
【図１】本発明の一実施形態に係る立体画像表示観察システムの構成を示す模式図である。
【図２】画像表示装置の構成を示すブロック図である。
【図３】画像表示装置に表示される映像と、液晶シャッターの開閉を示すタイミングチャートである。
【図４】本発明の一実施形態に係る２度書き込みの原理と、液晶シャッターの開閉を示すタイミングチャートである。
【図５】屋内の照明に用いられる蛍光灯（外光）と液晶シャッターの関係について説明するための特性図である。
【図６】本実施形態に係る映像表示システムの具体的構成を詳細に示す模式図である。
【図７】図４の構成から＋１／４波長板１１４及び−１／４波長板２０２を取り除いた構成を示す模式図である。
【図８】複数ユーザに対して異なる映像を提供するシステム（Ｄｕａｌ  Ｖｉｅｗ）を示す模式図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
なお、説明は以下の順序で行うものとする。
１．映像表示システムの全体構成
２．画像表示装置の構成例
３．本実施形態による２度書き込みの例
４．蛍光灯などの外光によるフリッカの発生要因について
５．本実施形態の映像表示システムの具体的構成
６．異なる複数の画像を周期的に表示するシステムへの適用
【００２５】
［１．映像表示システムの全体構成］
図１は、本発明の一実施形態に係る立体画像表示観察システムの構成を示す模式図である。図１に示すように、本実施形態に係るシステムはＬＣＤから構成される画像表示装置１００と、表示画像鑑賞用メガネ（光変調器）２００とを備える。画像表示装置１００は、表示パネルを駆動する駆動回路と、駆動回路より垂直同期信号を受けて表示画像鑑賞用メガネ２００に信号を発する発信機と、を備え、倍速駆動ができるものである。表示画像鑑賞用メガネ２００は、画像表示装置１００の発信機から送信された信号を受信する機能を有し、受信した信号に基づいて、表示パネルに表示された映像に合わせてシャッターを開閉して映像を選択する液晶シャッター２００ａ，２００ｂを備える。
【００２６】
画像表示装置１００は、例えば時分割式の立体映像ディスプレイ装置であり、左眼用映像及び右眼用映像を非常に短い周期で画面全体に交互にディスプレイする。また、画像表示装置１００は、左眼用映像及び右眼用映像のディスプレイ周期に同期して左眼及び右眼に映像を分離して提供する。画像表示装置１００は、例えば、フィールド毎に右目用画像Ｒと左目用画像Ｌを交互に表示する。表示画像鑑賞用メガネ２００には、レンズに相当する部分に一対の液晶シャッター２００ａ，２００ｂが設けられている。液晶シャッター２００ａ，２００ｂは、画像表示装置１００のフィールド毎の画像切り換えに同期して交互に開閉動作を行う。すなわち、画像表示装置１００に右目用の画像Ａが表示されるフィールドでは、左目用の液晶シャッター２００ｂが閉鎖状態となり、右目用の液晶シャッターが開放状態２００ａとなる。また、左目用の画像Ｂが表示されるフィールドでは、これと逆の動作を行う。このように、画像表示装置１００は、画像Ａ及び画像Ｂを非常に短い周期で画面全体に交互にディスプレイすると同時に、画像Ａ及び画像Ｂのディスプレイ周期に同期して左眼及び右眼に映像を分離して提供する。
【００２７】
このような動作により、鑑賞用メガネ２００を掛けて画像表示装置１００を見るユーザの右目には画像Ａのみが、また、左目には画像Ｂのみが入射される。このため、鑑賞者の目の内部で右目用と左目用の画像が合成され、画像表示装置１００に表示される画像が立体的に認識される。また、画像表示装置１００は通常の２次元画像を表示することもでき、この場合、画像Ａと画像Ｂの切り換えは行われない。
【００２８】
［２．画像表示装置の構成例］
次に、画像表示装置１００の構成について説明する。図２は、画像表示装置１００の構成を示すブロック図である。図２に示すように、画像表示装置１００は、映像信号制御部１２０、シャッター制御部１２２、エミッタ１２４、タイミング制御部１２６、バックライト制御部１２８、ゲートドライバ１３０、データドライバ１３２、液晶表示パネル１３４を備える。液晶表示パネル１３４の背後には、バックライト（面光源）１３６が配置されている。
【００２９】
液晶表示パネル１３４は、液晶層、液晶層を挟んで対向する透明電極、カラーフィルタ等から構成されている。映像信号制御部１２０には、右目用の画像Ａ及び左目用の画像Ｂを表示するための映像信号が入力される。映像信号制御部１２０は、液晶表示パネル１３４に右目用の画像Ａと左目用の画像Ｂを交互に表示させるため、左右映像信号を交互に出力する。また、映像信号制御部１２０は、入力された左右映像信号に基づいて、後述する２度書き込みを行うため、右目用映像信号と左目用映像信号のそれぞれについて、同じ信号が２つ連続するように変換を行う。
【００３０】
タイミング制御部１２６には、映像信号制御部１２０で変換された右目用映像信号及び左目用映像信号が入力される。タイミング制御部１２６は、入力された右目用映像信号及び左目用映像信号を液晶表示パネル１３４へ入力するための信号に変換し、ゲートドライバ１３０およびデータドライバ１３２の動作に用いられるパルス信号を生成する。
【００３１】
タイミング制御部１２６で変換された信号は、ゲートドライバ１３０とデータドライバ１３２のそれぞれに入力される。ゲートドライバ１３０およびデータドライバ１３２は、タイミング制御部１２６で生成されたパルス信号を受け、入力された信号に基づいて液晶表示パネル１３４の各画素を発光させる。これにより、液晶表示パネル１３４に映像が表示される。
【００３２】
また、映像信号制御部１２０は、右目用映像信号及び左目用映像信号の切り換わりのタイミングを示すタイミング信号をシャッター制御部１２２へ送る。シャッター制御部１２２は、映像信号制御部１２０から送られたタイミング信号に基づいて、エミッタ１２４を発光させる駆動信号をエミッタ１２４へ送る。ここで、エミッタ１２４を発光させる駆動信号は、液晶シャッター２００ａ，２００ｂの開閉タイミングを含む信号であり、シャッター制御部１２２は、映像信号制御部１２０から送られたタイミング信号により、液晶シャッター２００ａ，２００ｂの開閉タイミングを制御する。エミッタ１２４は、シャッター制御部１２２から送られた駆動信号に基づいて、左右の液晶シャッター２００ａ，２００ｂの開閉タイミングを示す光信号を鑑賞用メガネ２００に対して送信する。なお、エミッタ１２４を発光させる駆動信号は、画像Ａ及び画像Ｂの切り換わりのタイミングを含むものとして、開口期間は表示画像鑑賞用メガネ２００側で保持している値を使用しても良い。
【００３３】
表示画像鑑賞用メガネ２００は、詳細は省略するが、光信号を受信するセンサを備えている。光信号を受信した鑑賞用メガネ２００は、光信号によって指示された液晶シャッター２００ａ，２００ｂの開閉タイミングに同期して、液晶シャッター２００ａ，２００ｂの開閉動作を交互に行う。
【００３４】
また、シャッター制御部１２２は、左右の映像の切り換わりのタイミングを示すタイミング信号をバックライト制御部１２８へ送る。バックライト制御部１２８は、入力されたタイミング信号に基づいて、バックライト１３６を点灯させるための制御信号を出力する。バックライト１３６は、バックライト制御部１２８から入力された制御信号に基づいて点灯を行う。
【００３５】
なお、画像表示装置１００としては、液晶表示装置を例示するが、ＣＲＴ、ＰＤＰ、ＥＬなどテレビの垂直同期周波数の整数倍の表示が行えるデバイスであれば、これに限定されるものではない。
【００３６】
表示画像鑑賞用メガネ２００の液晶シャッター２００ａ，２００ｂは、例えばＴＮ液晶による液晶シャッターで構成されており、電圧をＯＮ／ＯＦＦすることにより光の透過／非透過を選択できるものである。
【００３７】
図３は、画像表示装置１００に表示される映像と、液晶シャッター２００ａ，２００ｂの開閉を示すタイミングチャートである。図３に示すように、画像表示装置１００に表示される映像を右目用の画像Ａ、左目用の画像Ｂの２種類とし、観測者は、液晶シャッター２００ａが開いている間に画像Ａを視認し、液晶シャッター２００ｂが開いている間に画像Ｂを視認するものとする。表示させる映像ソースとしては、例えばＰＡＬの５０Ｈｚとする。
【００３８】
図３に示すように、先ず、画像Ａが画像表示装置１００に表示され始め、液晶の応答時間が経過して画像Ａが完全に表示された時点で、液晶シャッター２００ａが開状態となる。これにより、観測者の右目は画像Ａを認識する。次に、画像表示装置１００に画像Ｂが表示され始めると、液晶シャッター２００ａは閉状態となり、画像Ｂの液晶シャッター２００ａの透過が遮断（ブロック）される。
【００３９】
次に、画像Ｂが完全に表示されると、液晶シャッター２００ｂが開状態となり、観測者の左目は画像Ｂを認識する。このようにして、観測者は画像Ａと画像Ｂを交互に視認することにより、画像Ａと画像Ｂとの視差により立体映像を視認することができる。
【００４０】
液晶シャッター２００ａ，２００ｂのそれぞれの開放時間は、画像表示装置１００および液晶シャッター２００ａ，２００ｂの応答速度によって決定され、本実施形態では、一例として５ｍｓとしている。液晶シャッター２００ａ，２００ｂの開閉タイミングは、画像表示装置１００の特性によって決定されるものであり、実際の開閉タイミング、画像Ａ、Ｂの表示方法は適宜調整することができる。
【００４１】
以上のように、画像Ａ，Ｂを１つの画像表示装置１００に交互に表示し、それと同期して表示画像鑑賞用メガネ２００の液晶シャッター２００ａ，２００ｂを開閉することで、観測者は立体映像を視認することができる。
【００４２】
［３．本実施形態による２度書き込みの例］
ところで、本実施形態のように画像表示装置１００の表示パネルを液晶表示パネルから構成した場合、液晶表示パネルでは垂直方向の上側から線順次に画像が表示される。この場合、液晶の応答速度不足に起因して、画面の上部と下部とで右目用の画像Ａと左目用の画像Ｂが共に表示されてしまい、いわゆるクロストークの発生が懸念される。このため、本実施形態では、液晶の応答速度の不足に起因するクロストークの発生、及び輝度不足等を解消するため、液晶パネルの駆動周波数を高め、左右の画像の１フレームを液晶表示パネル１３２に２度表示させる（書き込む）という手法を採用している。
【００４３】
図４は、本実施形態による２度書き込みの原理と、液晶シャッター２００ａ，２００ｂの開閉を示すタイミングチャートであって、右目用画像Ａと左目用画像Ｂのそれぞれを２４０［Ｈｚ］の駆動周波数で表示した場合を示している。図４において、１回の書き込みにより右目用画像Ａ又は左目用画像Ｂが表示される時間は、１／２４０［Ｈｚ］＝４．２［ｍｓ］である。
【００４４】
図４（Ａ）は、液晶表示パネル１３２の下辺（Ｙ＝０）から上辺（Ｙ＝Ｙ０）に至る縦方向の各位置において、時間とともに輝度が変化している様子を示している。また、図４（Ｂ）は、液晶表示パネル１３２のバックライト１３４が発光している様子を示している。図４（Ｂ）に示すように、本実施形態では、バックライト１３４は常時点灯しているが、バックライト制御部１２８の制御により、液晶シャッター２００ａ，２００ｂのオープン期間に合わせてバックライト１３４を点灯させても良い。
【００４５】
図４（Ｃ）は、液晶シャッター２００ａ，２００ｂの開閉タイミングを示している。また、図４（Ｄ）は、液晶シャッター２００ａ，２００ｂの開閉により、鑑賞用メガネ２００を掛けたユーザの右目に右目用画像Ｒが入射し、左目に左目用画像Ｌが入射している状態を示している。
【００４６】
図４（Ａ）に示すように、画面上辺（Ｙ＝Ｙ０）では、時刻ｔ２０からｔ２１までの４．２［ｍｓ］間に左目用画像Ｌが書き込まれ、続けて時刻ｔ２１からのｔ２２までの４．２［ｍｓ］間に再び左目用画像Ｌが書き込まれる。ここで、時刻ｔ２０からｔ２１の間に書き込まれる左目用画像Ｌと時刻ｔ２１からのｔ２２の間に書き込まれる左目用画像Ｌは、基本的には同一の画像であるが、オーバードライブ処理などの調整に起因して相違するものであってもよい。オーバードライブ等の処理としては、例えば、２回目の書き込みにおいて実際の信号レベルと１回目の映像信号レベル（ドライブ量）との比較を行い、１回目の書き込みでは到達しなかった輝度値の補正を行う処理や、揺り戻し現象の補正等の処理が挙げられる。また、１回目の書き込みにおいてもオーバードライブをすることができる。これらの処理はタイミング制御部１２６で行うことができ、タイミング制御部１２６は、オーバードライブ等の処理による輝度補正部としても機能する。また、１回目に書き込まれる左目用画像Ｌと２回目に書き込まれる左目用画像Ｌとの間に所定のブランク期間を設けても良い。
【００４７】
そして、左目用画像Ｂを２回書き込んだ後に右目用画像Ａが書き込まれる。右目用画像Ｒについても、画面上辺（Ｙ＝Ｙ０）では、時刻ｔ２２からｔ２３までの４．２［ｍｓ］間に右目用画像Ａが書き込まれ、続けて時刻ｔ２３からのｔ２４までの４．２［ｍｓ］間に再び右目用画像Ａが書き込まれる。時刻ｔ２２からｔ２３の間に書き込まれる右目用画像Ｒと時刻ｔ２３からのｔ２４の間に書き込まれる右目用画像Ｒは、基本的には同一の画像であるが、オーバードライブ処理などの調整に起因して相違するものであってもよい。また、１回目に書き込まれる右目用画像Ａと２回目に書き込まれる右目用画像Ａとの間、または左目用画像Ｂと右目用画像Ａの間に所定のブランク期間を設けても良い。
【００４８】
一般に液晶表示装置は、その応答時間が比較的遅いため、書き込み時間が短時間であると、各画素が所望の輝度に達しない。このため、駆動周波数を高くして右目用画像Ａと左目用画像Ｂを交互に書き込むと、１回の書き込み時間（＝４．２ｍｓ）が短くなり、１回目の書き込み後にしか所望の輝度に到達しないため、画面上辺と下辺の両方が所望の輝度に達しているタイミングが存在しない。
【００４９】
本実施形態では、右目用画像Ａと左目用画像Ｂをそれぞれ２度に渡って書き込みしているため、２回目の書き込み時には、１回目に既に同じ画像を書き込んでいることから、所望の輝度を保持することができ、従って、画面の上辺と下辺の両方で所望の輝度に達した状態を実現できる。
【００５０】
そして、図４（Ａ）において、時刻ｔ２２の時点では、画面上辺から画面下辺に至る全域において、左目用画像Ｌの輝度は所望のレベルに到達している。このため、図４（Ｃ）及び図４（Ｄ）に示すように、時刻ｔ２２を中心とする所定の期間（例えば２．１ｍｓ）だけ液晶シャッター２００ｂを開口させることで、ユーザの左目には左目用画像Ｌのみが視認され、クロストークの発生を確実に抑えることができる。なお、クロストークと輝度はトレードオフの関係にあるので、どちらを優先するかによってシャッターオープン期間は適宜設定できる。
【００５１】
同様に、右目用画像Ｒにおいても、図４（Ａ）に示す時刻ｔ２４の時点では、画面上辺から画面下辺に至る全域において、右目用画像Ａの輝度は所望のレベルに到達している。このため、図４（Ｃ）及び図４（Ｄ）に示すように、時刻ｔ２４を中心とする所定の期間（例えば２．１ｍｓ）だけ液晶シャッター２００ａを開口させることで、ユーザの右目には右目用画像Ｒのみが視認され、クロストークの発生を確実に抑えることができる。
【００５２】
上述のように、液晶の駆動周波数を高めると、１回目の書き込み時には、書き込み終了時に画面下部では所望の輝度に到達しないため、液晶表示パネル１３２の過渡応答中である１回目の書き込み時の少なくとも一部区間では、液晶シャッター２００ａ，２００ｂは閉じられる。より詳細には、右目用画像Ａ又は左目用画像Ｂが表示されている約８．４ｍｓのうち、少なくとも５０％に相当する４．２ｍｓの区間では、液晶シャッター２００ａ，２００ｂは閉じられる。これにより、１回目の書き込みによる過渡応答中の映像がユーザに視認されることを回避できる。また、クロストークを抑えるため、液晶シャッター２００ａ，２００ｂの双方が閉じている区間が設けられる。
【００５３】
本実施形態では、図４（Ｃ）に示すように、右目用の液晶シャッターＲ（液晶シャッター２００ａ）は、時刻ｔ２４を中心とする所定時間（２．１ｍｓ）の間だけ開かれる。また、左目用の液晶シャッターＬ（液晶シャッター２００ｂ）は、時刻ｔ２２，ｔ２６を中心とする所定時間（例えば２．１ｍｓ）の間だけ開かれる。
【００５４】
時刻ｔ２４の時点では、画面下辺においては、右目用画像Ａの２回目の書き込みが開始されており、画面上辺においては、右目用画像Ａの２回目の書き込みが終了する。従って、時刻ｔ２４の時点で液晶シャッター２００ａを開くことによって、１回目の書き込みによる右目用画像Ａがユーザの右目に視認されることがなく、画面下辺から上辺に至る全域において、２回目の書き込みによる右目用画像Ａがユーザの右目に視認される。
【００５５】
同様に、時刻ｔ２２，ｔ２６の時点では、画面下辺においては、左目用画像Ｂの２回目の書き込みが開始されており、画面上辺においては、左目用画像Ｂの２回目の書き込みが終了する。従って、時刻ｔ２２または時刻ｔ２６の時点で液晶シャッター２００ｂを開くことによって、１回目の書き込みによる左目用画像Ｂがユーザの左目に視認されることがない。これにより、画面下辺から上辺に至る全域において、２回目の書き込みによる左目用画像Ｂがユーザの左目に視認される。
【００５６】
このように、１度目の書き込みで所望の輝度に到達し、２度目の書き込みでその輝度を保持することで、画面全体において所望の輝度に到達した映像をユーザに視認させることが可能となる。従って、図４（Ｃ）に示す時刻ｔ２２，ｔ２４，ｔ２６の時点において、必要最小限の所定時間（例えば２．１ｍｓ）のみ液晶シャッター２００ａ，２００ｂを開くことで、クロストークの発生を確実に抑えることが可能となる。特に、画面上辺において、右目用画像Ａから左目用画像Ｂへ切り換わるタイミング、または左目用画像Ｂから右目用画像Ａに切り換わるタイミングよりも以前に液晶シャッター２００ａ，２００ｂの開期間を設けることで、クロストークの発生を確実に抑止できる。
【００５７】
以上説明したように本実施形態に係る２度書き込みの例によれば、右目用画像Ａと左目用画像Ｂが混ざるクロストークの発生を確実に抑えることが可能となる。
【００５８】
なお、本実施形態のような２度書きを行わない場合に、液晶が応答する程度の低い周波数で右目用画像Ａと左目用画像Ｂとを交互に表示させた場合は、フリッカ（画面のちらつき）が発生してしまう。フリッカの発生は、例えば右目用画像Ａ又は左目用画像Ｂの１フレームが表示される駆動周波数を６０［Ｈｚ］以下とすると発生する。本実施形態では、液晶の駆動周波数を例えば２４０［Ｈｚ］とするため、フリッカの発生を確実に抑えることができる。
【００５９】
［４．蛍光灯などの外光によるフリッカの発生要因について］
次に、図５に基づいて、屋内の照明に用いられる蛍光灯（外光）と液晶シャッター２００ａ，２００ｂの関係について説明する。本実施形態では、一例として、蛍光灯を発光させる商用電源の周波数を５０Ｈｚとし、ＮＴＳＣ（National  Television  Standards  Committee）信号をベースとした２画面表示でシャッターの開放時間を５ｍｓとする。
【００６０】
蛍光灯としては、インバーター方式のものではなく、安定器を用いるものとする。蛍光灯は、安定器を用いているため、商用周波数５０Ｈｚの２倍である１００Ｈｚで振動しており、その周期は１０ｍｓである。一方、液晶シャッター２００ａ，２００ｂはＮＴＳＣ方式の垂直同期周波数５９．９４Ｈｚで交互に開閉するものとし、その周期は１６．７ｍｓである。すなわち、図５に示すように、液晶シャッター２００ａ，２００ｂは、１６．７ｍｓ間隔で５ｍｓだけ交互に開くものとする。
【００６１】
図５は、蛍光灯の輝度（相対強度）と、液晶シャッター２００ａ，２００ｂの透過率（ここでは０〜１００％とする）が時間に応じて変化する様子を示している。図５に示すように、蛍光灯の輝度は１０ｍｓ周期で強度が変化する。また、液晶シャッター２００ａ，２００ｂの透過率は、１６．７ｍｓ周期でシャッターが開閉することにより周期的に変化する。液晶シャッター２００ａ，２００ｂは、液晶の応答特性に起因して、開き始めから完全に開くまでの間、及び閉じ始めから完全に閉じるまでの間に、応答遅れによる過渡期が存在する。
【００６２】
液晶シャッター２００ａ，２００ｂを通過して観測者の眼に届く光量は、蛍光灯の輝度と液晶シャッター２００ａ，２００ｂの透過率の積で表され、相対強度として図５中の斜線部で表すことができる。人の目が感じる光量は図５中に斜線のハッチングが付された各領域の積分値であるが、この値を時間軸に沿って包絡線として描くと、図５中に破線で示すようなうねり波形となる。うねり波形の周波数は、液晶シャッター２００ａ，２００ｂの周波数の２倍と蛍光灯の発光周波数との差分（２ｘ５９．９４−１００＝１９．８８Ｈｚ）と、液晶シャッター２００ａ，２００ｂの周波数と蛍光灯の発光周波数との差分（１００−５９．９４＝４０．０６Ｈｚ）とが重畳したものとなる。一般的に、人の眼は、５０Ｈｚ〜６０Ｈｚ程度以下の明滅を光のちらつきとして認識することから、図５に示すようなうねり波形（５０Ｈｚ程度）が発生する状況下においては、容易に視認できるフリッカ（光のちらつき）を感じ、観測者に不快な印象を与えることになる。
【００６３】
以上のように、蛍光灯などの発光体の光は、それ自体が観測者に視認される場合は周波数が高いためフリッカの要因とはならないが、液晶シャッター２００ａ，２００ｂによるシャッター動作が重畳されると、フリッカとして視認されてしまう。
【００６４】
［５．本実施形態の映像表示システムの具体的構成］
以上のようなフリッカを消失させるため、本実施形態は、ランダム偏光と考えられる外光に対し、画像表示装置１００から出力される偏光を特定の状態とし、両者の相違を用いてフリッカを消失させる。このように、偏光を用いて分離することで、外光に対しては液晶シャッター２００ａ，２００ｂの機能が実質的に作用せず、画像表示装置１００に表示された画像の偏光に対してのみ液晶シャッター２００ａ，２００ｂを機能させることができる。この結果として、蛍光灯を含む外光に対するフリッカを完全に消失させることができる。以下、詳細に説明する。
【００６５】
図６は、本実施形態に係る映像表示システムの具体的構成を詳細に示す模式図である。図６に示すように、画像表示装置１００においては、映像を表示する液晶表示パネル１３４を備え、液晶表示パネル１３４の表示面上に＋１／４波長板１１４を設置している。
【００６６】
一方、表示画像鑑賞用メガネ２００は、画像表示装置１００側から、−１／４波長板２０２、スイッチ液晶（液晶層）２０３、偏光板２０４が配置され、−１／４波長板２０２、スイッチ液晶２０３、及び偏光板２０４によって液晶シャッター２００ａ，２００ｂが構成されている。
【００６７】
画像表示装置１００がＶＡモードの液晶表示パネル１３４を備えるものである場合、映像情報は縦方向の偏光状態にて液晶表示パネル１３４から出力される。本実施形態による画像表示装置１００では、液晶表示パネル１３４の前面に＋１／４波長板１１４を設置し、＋１／４波長板１１４の遅相軸が縦方向に＋４５度傾くように設置されている。このため、画像表示装置１００から出力される光は、右円偏光となって出力される。
【００６８】
一方、蛍光灯を含む各種発光体からの外光については、ランダム偏光として出力され、表示画像鑑賞用メガネ２００の−１／４波長板２０２へ入射する。
【００６９】
以上のようにして、画像表示装置１００から出力された映像の光と、蛍光灯などの発光体から出力された外光は、互いに異なる偏光状態となり、表示画像鑑賞用メガネ２００の表面に設置される−１／４波長板２０２に入射する。
【００７０】
表示画像鑑賞用メガネ２００の表面に設置される−１／４波長板２０２は、その遅相軸が縦方向に−４５度傾くように設置されている。このため、画像表示装置１００から出力された右円偏光は、−１／４波長板２０２により再び偏光状態が変換されて縦偏光となり、スイッチ液晶２０３に入射する。
【００７１】
スイッチ液晶２０３は、例えばネマティック液晶層により構成されており、本実施形態では、ツイスト角９０°のツイストネマティック（ＴＮ）型液晶を用いるものとする。スイッチ液晶２０３は、その表裏に１対の透明電極（不図示）を備え、透明電極間に電圧が印加されていない状態では、液晶層の液晶分子が９０°ツイストしているため、スイッチ液晶２０３から出射された光は、ツイストに応じて伝播する偏光方向が９０°回転する。
【００７２】
スイッチ液晶２０３よりも観測者側に設置された偏光板２０４は、横方向の偏光軸を有している。このため、透明電極間に電圧が印加されていない場合、画像表示装置１００から出力された光については、−１／４波長板２０２から出力された縦偏光の光は、液晶のツイストに応じて伝播する偏光方向が９０°回転して横方向の偏光となるため、偏光板２０４を透過する。また、透明電極間にしきい値電圧以上の電圧を印加すると、液晶分子はその長軸を電界方向に向けて配向する。この状態では、液晶分子がツイストしていない状態となるため、画像表示装置１００から出力された光は、縦偏光の状態が維持されるため、偏光板２０４にて吸収（ブロック）される。
【００７３】
以上のように、スイッチ液晶２０３に電圧を印加していない場合は、画像表示装置１００から出力された右円偏光は、表示画像鑑賞用メガネ２００の−１／４波長板２０２で縦偏光となり、スイッチ液晶２０３、および偏光板２０４を透過して観測者の眼に到達し、観測者によって認識される。一方、スイッチ液晶２０３に電圧を印加している場合、画像表示装置１００から出力された右円偏光は、表示画像鑑賞用メガネ２００の−１／４波長板２０２で縦偏光となるが、スイッチ液晶２０３にて横偏光となるため、偏光板２０４にて吸収される。
【００７４】
このように、画像表示装置１００から出力された光については、液晶シャッター２００ａ，２００ｂは、いわゆるノーマリーホワイトモードで動作する。従って、画像表示装置１００から出力された光に対しては、スイッチ液晶２０３への電圧の印加を周期的に行うことで、表示画像鑑賞用メガネ２００による光の透過、吸収を周期的に行うことができる。これにより、表示画像鑑賞用メガネ２００は、液晶シャッター２００ａ，２００ｂによるシャッター動作を行うことができる。
【００７５】
一方、蛍光灯などの発光体から出力される外光はランダム偏光であり、偏光の向きは特定されていない。このため、外光は、−１／４波長板２０２を通過した後においてもランダム偏光のままの状態である。また、スイッチ液晶２０３を透過する際にも、透明電極への電圧の有無に応じて偏光方向が変化した場合、変化しない場合のいずれにおいても、ランダム偏光のままの状態であり、特定の偏光状態とはならない。このため、最終の偏光板２０４にて透過軸方向（横方向）の振動成分のみ取り出されるが、スイッチ液晶２０３への電圧の印加の有無に関わらず、常にランダム偏光の横方向の振動成分が偏光板２０４を通過する。従って、外光に対しては、表示画像鑑賞用メガネ２００はシャッター動作を行うことなく、外光は、その横方向の振動成分が常に観測者の眼に視認される。
【００７６】
従って、本実施形態の構成によれば、画像表示装置１００から出力される光に対してのみシャッター動作を行い、外光に対してはシャッターが機能しない表示画像鑑賞用メガネ２００を実現することができる。従って、外光に対しては液晶シャッター２００ａ，２００ｂが実質的に機能しないため、観測者の眼には、表示画像鑑賞用メガネ２００へ入射する際の外光がそのままの周波数で視認されることとなり、フリッカの発生を完全に抑止することが可能となる。
【００７７】
図７は、図６の構成から＋１／４波長板１１４及び−１／４波長板２０２を取り除いた構成を示す模式図である。図７の構成においても、画像表示装置１００から出力された光は縦偏光の状態でスイッチ液晶２０３へ入射するため、図６と同様に、画像表示装置１００から出力された光に対しては周期的なシャッター動作を行うことができる。また、外光についても、外光はランダム偏光の状態でスイッチ液晶２０３へ入射し、ランダム偏光の状態で偏光板２０４へ入射する。このため、外光は、スイッチ液晶２０３への電圧の印加の有無に関わらず、透過軸方向（横方向）の振動成分が偏光板２０４を常に通過する。従って、図７の構成においても、外光に対してはシャッターが機能しない表示画像鑑賞用メガネ２００を実現することができる。しかし、図７に示す構成では、観測者が首を傾けた場合など、画像表示装置１００から出力された光の偏光方向とスイッチ液晶２０３の液晶の配向の向きが相違してしまうと、シャッターが正常に動作しなくなることが想定できる。この場合、シャッター開の状態で光が透過しなくなったり、逆にシャッター閉の状態で光が透過してしまい、左右の画像が混ざるクロストークが発生する懸念がある。
【００７８】
図６に示す構成によれば、画像表示装置１００に＋１／４波長板１１４を設けたことにより、画像表示装置１００から出力される偏光を円偏光としている。このため、例えば表示画像鑑賞用メガネ２００を装着している観測者が首を傾けた場合などにおいても、−１／４波長板２０２とスイッチ液晶２０３は一体に傾くため、スイッチ液晶２０３へ入射する光の偏光方向が変化することはない。従って、表示画像鑑賞用メガネ２００の傾きによる影響を抑止することができ、画像表示装置１００から出力された光に対して常に正確なシャッター動作を行うことが可能である。
【００７９】
なお、一般的な液晶シャッターは、図７の構成に対して、スイッチ液晶２０３よりも画像表示装置１００側に所定方向の偏光軸を有する偏光板が配置される。この構成では、外光に対して、この偏光板が作用により、外光についても所定の偏光に変換されてスイッチ液晶２０３に入射する。このため、外光に対しても液晶シャッター２００ａ，２００ｂによるシャッター動作が機能してしまい、上述したようなフリッカ発生の要因となっている。
【００８０】
本実施形態における表示画像鑑賞用メガネ２００の液晶シャッター２００ａ，２００ｂは、電圧を加えない場合に光が透過するノーマリーホワイトモードの液晶を例示したが、電圧を加えない場合に光が遮断されるノーマリーブラックモードの液晶を用いることも可能である。この場合は、表示画像鑑賞用メガネ２００の開閉におけるコントラストの更なる向上を図ることができる。一方、ノーマリーホワイトモードの液晶を用いた場合は、光透過時の透過率をより高くすることが可能である。
【００８１】
また、本実施形態においては、ＮＴＳＣ方式の信号と５０Ｈｚの商用周波数との相対関係について説明したが、ＮＴＳＣ方式以外にも、ＰＡＬ（Phase  Alternation  by  Line）方式、またはＳＥＣＡＭ（Sequential  Couleur  A  Memoire）方式と、５０Ｈｚまたは６０Ｈｚなどの商用周波数との相対関係についても同様である。これらの場合においても、本実施形態の構成によれば、フリッカの発生を確実に抑えることが可能である。
【００８２】
従って、本実施形態によれば、映像信号と同期して周期的に開閉するシャッターと、このシャッター開閉周期に近い周期で明暗を繰り返す外光とのうねり現象を大幅に改善することが可能である。外光は蛍光灯に限られるものではなく、ＬＥＤ照明、または各種ＡＶ機器の表示器による照明などであっても同様なフリッカが現れるが、本実施形態の構成によりフリッカを確実に抑止できる。これらの外光は、商用周波数ではなく、各装置に固有の周波数を有している場合もあるが、これらの外光に対しても本実施形態の構成によりフリッカを確実に抑えることができる。
【００８３】
［６．異なる複数の画像を周期的に表示するシステムへの適用］
上述の例では、立体画像表示観察システムを例示したが、複数ユーザに対して異なる映像を提供するシステムへの適用も可能である。図８は、複数ユーザに対して異なる映像を提供するシステム（Ｄｕａｌ  Ｖｉｅｗ）を示す模式図である。このシステムでは、表示画像鑑賞用メガネ２００の液晶シャッター２００ａ，２００ｂは同じタイミングで開閉動作を行う。画像表示装置１００は、例えば時分割式のディスプレイ装置であり、ユーザＡに対する映像とユーザＢに対する映像を非常に短い周期で画面全体に交互にディスプレイする。
【００８４】
この場合、図３において、画像表示装置１００に表示される画像をユーザＡに対するＡ、及びユーザＢに対する画像Ｂの２種類とし、２人のユーザのうちの一方のユーザＡが画像Ａを視認し、他方のユーザＢが画像Ｂを視認するものとする。表示させる映像ソースとしては、例えばＰＡＬ方式の５０Ｈｚとする。
【００８５】
液晶シャッター２００ａ，２００ｂは、画像表示装置１００のフィールド毎の画像切り換えに同期して同時に開閉動作を行う。すなわち、図３において、画像ＡがユーザＡに対する画像であり、画像ＢがユーザＢに対する画像であるとすると、画像表示装置１００に画像Ａが表示されるフィールドでは、ユーザＡが装着する表示画像鑑賞用メガネ２００の液晶シャッター２００ａ，２００ｂが共に開放状態となる。一方、ユーザＢが装着する表示画像鑑賞用メガネ２００の液晶シャッター２００ａ，２００ｂは共に閉鎖状態となる。
【００８６】
より詳細には、先ず、図３において画像Ａが画像表示装置１００に表示され始め、液晶の応答時間が経過して画像Ａが完全に表示された時点で、ユーザＡの液晶シャッター２００ａ，２００ｂが共に開状態となる。これにより、ユーザＡは画像Ａを視認することができる。次に、画像表示装置１００に画像Ｂが表示され始めると、ユーザＡの液晶シャッター２００ａ，２００ｂが共に閉状態となりユーザＡの液晶シャッター２００ａ，２００ｂにおいて、画像Ｂの透過が遮断（ブロック）される。
【００８７】
また、画像表示装置１００にユーザＢに対する画像Ｂが表示されるフィールドでは、ユーザＢが装着する表示画像鑑賞用メガネ２００の液晶シャッター２００ａ，２００ｂが開放状態となる。一方、ユーザＡが装着する表示画像鑑賞用メガネ２００の液晶シャッター２００ａ，２００ｂは閉鎖状態となる。
【００８８】
すなわち、画像Ｂが完全に表示されると、ユーザＢの液晶シャッター２００ａ，２００ｂが共に開状態となり、ユーザＢは画像Ｂを認識することができる。一方、ユーザＡが装着する表示画像鑑賞用メガネ２００の液晶シャッター２００ａ，２００ｂは共に閉鎖状態となるため、ユーザＡは画像Ｂを視認することができない。
【００８９】
このように、画像表示装置１００は、ユーザＡに対する画像Ａ及びユーザＢに対する画像Ｂを非常に短い周期で画面全体に交互にディスプレイし、個々のユーザの液晶シャッター２００ａ，２００ｂを画像Ａ及び画像Ｂの表示タイミングに同期して開閉する。これにより、ユーザＡとユーザＢに対して異なる映像を提供することができる。図８の例においても、図４で説明した２度書きの原理により、画像Ａ、画像Ｂのそれぞれは、同一の画像が少なくとも２回以上連続して表示される。これにより、ユーザが視認する画像Ａに画像Ｂが混ざってしまうことを確実に抑止することができ、また、ユーザが視認する画像Ｂに画像Ａが混ざってしまうことを確実に抑止することができる。なお、図８では、ユーザが２名の場合を例示しているが、ユーザがより多い場合であっても同様に構成することが可能である。上述の例では、２種類の映像を表示させるため、１つの垂直同期期間を２つに分けて表示するが、３つ以上に同期期間を分割することで同時に３つ以上の映像を表示し、より多くのユーザに異なる映像を提供することも可能である。
【００９０】
以上説明したように本実施形態によれば、ランダム偏光と考えられる外光に対し、画像表示装置１００から出力される偏光を特定の状態とすることにより、この両者の相違を用いる。このように偏光を用いて画像と外光とを分離することで、外光に対してはシャッター機能が作用せず、表示画面に由来する偏光に対してのみシャッターを機能させることができる。この結果、蛍光灯などを含む外光に対するフリッカーを確実に消失させることができる。また、画像Ａ、画像Ｂのそれぞれについて、同一の画像を少なくとも２回以上連続して表示することにより、画像Ａと画像Ｂが混ざってユーザに視認されるクロストークの問題を確実に抑止することが可能となる。
【００９１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９２】
１００    画像表示装置
１１４    ＋１／４波長板
２００    表示画像鑑賞用メガネ
２０２    −１／４波長板
２０３    スイッチ液晶
２０４    偏光板
【図１】
2011075745.tif 000003
【図２】
2011075745.tif 000004
【図３】
2011075745.tif 000005
【図４】
2011075745.tif 000006
【図５】
2011075745.tif 000007
【図６】
2011075745.tif 000008
【図７】
2011075745.tif 000009
【図８】
2011075745.tif 000010